(57)【特許請求の範囲】
【請求項１】
一対の、互いに並列している紐孔列付きシートの間に配置され、前記互いに並列している紐孔列の紐孔を交差挿通して最後の一対の紐孔から一対の紐端部をそれぞれ延出させる紐手段と、
前記一対の紐端部を、それを横断するように形成してある一対の通孔をそれぞれ通過させてから反対側へ引っ張ってそれを前記紐孔列付きシートの方へ摺動させ、前記一対のシートの少なくとも前記最後の一対の紐孔を有する両端を寄せて、前記紐手段と合わせて固定する管形クリップと、からなる紐繋ぎ装置であって、
前記クリップは、内外２の管形ピースから同軸に組み合ってなった入れ子管の内部に付勢手段を入れ、常時の伸位置から前記付勢手段に抗しながら押圧されて縮位置に到達することができるようにさせてなり、且つ、前記一対の通孔を形成するために、前記内外２の管形ピースそれぞれの管壁の両側にそれぞれ一対の互いに上下対向している穴が開設してあり、これらの穴は、前記常時の伸位置において前記内外２の管形ピースの穴の対向が小通孔になり、前記縮位置において前記内外２の管形ピースの穴の対向が大通孔になるように配置されており、
各紐端部は、前記小通孔を通過してからループを形成するように曲がって第１の飾りを形成し、そして、前記小通孔を出たところと接合して止め部となり、引き続いて反対方向へ延伸してなり、
該止め部は、断面が前記小通孔の断面より大であって、前記小通孔を通過できない構成であることを特徴とする紐繋ぎ装置。
【請求項２】
前記クリップの上面に更に第２の飾りがついており、該第２の飾りが結び目であることを特徴とする請求項１に記載の紐繋ぎ装置。」
【請求項３】
前記止め部は断面が前記大通孔の断面より小であって、前記大通孔を通過することができることを特徴とする請求項１に記載の紐繋ぎ装置。
【請求項４】
前記紐手段は二本の紐からなり、前記一対の紐端部は別々にそれらにおける一本の一端部からなったことを特徴とする請求項１に記載の紐繋ぎ装置。
【請求項５】
前記内管形ピースの外上面と前記外管形ピースの内上面との間に、前記伸位置時に、前記止め部を収容するための隙間が保留されており、また、前記外管形ピースの上側の前記穴に該穴を横断し且つ前記ループを通過した係止棒が形成してあり、前記係止棒により、前記止め部の前記上側の穴からの逸脱を防止することができることを特徴とする請求項１に記載の紐繋ぎ装置。
【請求項６】
前記一対の紐端部の中の一つだけは、断面が前記大通孔の断面よりも大であって、前記大通孔を通過できないことを特徴とする請求項１に記載の紐繋ぎ装置。
【発明の詳細な説明】
【０００１】
【発明の属する技術分野】
本発明は紐繋ぎ装置に関し、さらに詳しくは、それぞれに互いに並列している一対の紐孔列付きシートの一つを備えている開口両縁に、前記紐孔列の紐孔を紐手段で順番に交差挿通して前記開口を締める紐繋ぎ装置に関する。
【０００２】
【従来の技術】
従来から、開口両縁にそれぞれ互いに並列している一対の紐孔列付きシートの一つを備えてなり、前記紐孔列の紐孔５０３を紐手段４で順番に交差挿通してから結びをつけることにより、前記開口を締めるもの、例えば紐付き衣服、紐付きテント及び紐付き靴５などがある。以下紐付き靴５を例として説明する。通常の紐付き靴は、主としてつま革５０１と、履き口５０２と、つま革５０１から履き口５０２までに互いに並列している一対の紐孔列付きシート７，７と、両端４０２，４０２を互いに交差しながら前記一対の紐孔列付きシート７，７の紐孔５０３を順番に挿通している紐手段４とからなる（図１の下半部参照）。
【０００３】
このような靴は、前記靴紐の両端４０２，４０２をそれぞれつま革５０１に一番近い一対の紐孔の一つを挿通してから互いに交差しながら互いに並列している２の紐孔列の紐孔を順番に挿通し、最後に前記履き口に一番近い一対の紐孔の間に飾りとしてバタフライ形の結びをつける（図示せず）が、前記バタフライ形の結びをつけることが子供にとって非常に困難である。それがために、前記一本しかない紐手段４の代わりに、図１及び図２の靴に使用されているような紐繋ぎ装置が市販されている。
【０００４】
この紐繋ぎ装置は、図示のように、靴５の一対の、互いに並列している紐孔列付きシート７の間に配置され、前記互いに並列している紐孔列の紐孔５０３を交差挿通して最後の一対の紐孔５０３から一対の紐端部４０２をそれぞれ延出させる紐手段４と、一対の紐端部４０２を、それを上下に沿って横断するように形成してある開閉可能な通孔３（常時閉）を通過させてから反対側へ引っ張ってそれを靴５の方へ摺動させ、一対のシート７，７の少なくとも前記最後の一対の紐孔５０３を有する両端を寄せて、紐手段４と合わせて固定するバタフライ飾り付き管形クリップ２とからなる。しかしながら、このような紐繋ぎ装置の靴５などの開口に対する締付けは、クリップ２における開閉可能な通孔３の紐端部４０２に対する挟持によるのみであるので、弛み易いという欠点がある。
【０００５】
【発明が解決しようとする課題】
本発明は、上記欠点に鑑みてなされたものであり、即ち、紐手段の弛みを防止できる紐繋ぎ装置を提供することを目的とする。
【０００６】
【課題を解決するための手段】
上記目的を達成するため、本発明は、一対の、互いに並列している紐孔列付きシートの間に配置され、前記互いに並列している紐孔列の紐孔を交差挿通して最後の一対の紐孔から一対の紐端部をそれぞれ延出させる紐手段と、前記一対の紐端部を、それを横断するように形成してある一対の通孔をそれぞれ通過させてから反対側へ引っ張ってそれを前記紐孔列付きシートの方へ摺動させ、前記一対のシートの少なくとも前記最後の一対の紐孔を有する両端を寄せて、前記紐手段と合わせて固定する管形クリップとからなる紐繋ぎ装置であって、前記クリップは、内外２の管形ピースから同軸に組み合ってなった入れ子管の内部に付勢手段を入れ、常時の伸位置から前記付勢手段に抗しながら押圧されて縮位置に到達することができるようにさせてなり、且つ、前記一対の通孔を形成するために、前記内外２の管形ピースそれぞれの管壁の両側にそれぞれ一対の互いに上下対向している穴が開設してあり、これらの穴は、前記常時の伸位置において前記内外２の管形ピースの穴の対向が小通孔になり、前記縮位置において内外２の管形ピースの穴の対向が大通孔になるように配置されており、また、前記いずれの紐端部の前記通孔を通過した後の部分は第１の飾りが形成してあり、且つ、前記紐端部の前記第１の飾りの前の部分は断面が前記小通孔の断面より大であって、前記小通孔を通過できない止め部になったことを特徴とする紐繋ぎ装置を提供する。
【０００７】
前記構成による紐繋ぎ装置は、前記紐端部の前記第１の飾りの前の部分は、断面が前記小通孔の断面より大であって、前記小通孔を通過できない止め部になったため、それぞれに互いに並列している一対の紐孔列付きシートの一つを備えている開口両縁に取付けられた状態下において、前記クリップが常時の伸位置にある場合、前記紐手段の前記通孔に対する脱出摺動を阻止することができるので、紐手段の弛みを防止することができる。
【０００８】
【発明の実施の形態】
以下、本発明の好ましい実施形態について紐付き靴を例に説明する。まず、図３から図８を用いて本発明の第１の実施形態の紐繋ぎ装置及びこれを利用した紐付き靴２００を述べる。図示するように、本実施形態の紐繋ぎ装置は、紐手段２０と、管形クリップ１０とからなる。
【０００９】
図３に示すように、紐手段２０は、紐付き靴２００における一対の、互いに並列している紐孔列付きシート２３の間に配置されており、前記互いに並列している紐孔列の紐孔２２０を交差挿通して最後の一対の紐孔２２０から一対の紐端部３２、３２をそれぞれ延出している。且つ、紐手段２０は二本の紐２２、２２からなり、一対の紐端部３２、３２は別々にそれらにおける一本の一端部からなったものである。
【００１０】
また、クリップ１０は、内外２の管形ピース１２、１１から同軸に組み合ってなった入れ子管の内部に付勢手段としてばね１３を入れ、常時の伸位置からばね１３に抗しながら押圧されて縮位置に到達することができるようになっており、且つ、内外２の管形ピース１２、１１それぞれの管壁の両側にそれぞれ一対の互いに上下対向している穴１１４、１１４、１１５、１１５が開設してある。これらの穴１１４、１１４、１１５、１１５は、前記常時の伸位置において内外２の管形ピース１２、１１の穴１１４、１１４、１１５、１１５の対向が小通孔Iになり（図６を参照）、前記縮位置において内外２の管形ピース１２、１１の穴１１４、１１４、１１５、１１５の対向が大通孔IIになる（図７を参照）ように配置されている。
【００１１】
また、前記いずれの紐端部３２、３２の前記通孔を通過した後の部分は第１の飾り３１が形成してあり、且つ、紐端部３２、３２の第１の飾り３１の前の部分は断面が小通孔Iの断面より大であって（図６を参照）、小通孔Iを通過できない止め部３３となっている。
【００１２】
なお、第１の飾り３１は、紐端部３２、３２が小通孔Iを通過してからループ３０、３０を形成するように曲がり、そして、小通孔Iを出たところと接合して止め部３３となった後、引き続いて反対方向へ延伸してなるものである。さらに、クリップ１０の上面に、結び目になっている第２の飾り４０がついている。ループ３０、３０と紐端部３２、３２と第２の飾り４０との組み合わせで、バタフライのような紐結びが構成される（図４を参照）。
【００１３】
紐付き靴２００を履く場合、クリップ１０を常時の伸位置からばね１３に抗しながら押圧して縮位置に到達させてから、一対の紐端部３２、３２を、穴１１４、１１４、１１５、１１５をそれぞれ通過させて反対側へ引っ張って、管形クリップ１０を止め部３３を超えて紐孔列付きシート２３の方へ摺動させると共に、前記縮位置から元の伸位置に復帰させることにより、一対のシート２３の少なくとも履き口２１０に一番近い最後の一対の紐孔２２０を有する両端を寄せて固定することができる（図４を参照）。この時、クリップ１０の通孔が小通孔Iになった。その後、たとえ紐２２、２２が少し弛んだとしても、図５、６の示すように、止め部３３の断面が小通孔Iの断面より大きいため、それを通過することなくクリップ１０の外周面１１２上に係止される。
【００１４】
一方、紐付き靴２００を脱ごうとする場合では、まず図７に示すように、クリップ１０を常時の伸位置からばね１３に抗しながら押圧して縮位置に到達させる。これにより、止め部３３の断面が大通孔IIの断面より小さいため、紐端部３２、３２は容易に大通孔IIを通過してクリップ２を紐孔列付きシート２３から離間させ、紐２２、２２を弛めることができる（図８を参照）。
【００１５】
次に、図９及び図１０を用いて本発明の第２の実施形態の紐繋ぎ装置を説明する。本第２の実施形態の紐繋ぎ装置は、前記第１の実施形態の紐繋ぎ装置において、内管形ピース１２の外上面と外管形ピース１１の内上面との間に、前記伸位置時に、止め部３３を収容するための隙間が保留されており、また、外管形ピース１１の上側の穴１１４、１１５にそれぞれ該穴を横断し且つループ３０、３０を通過した係止棒１１６、１１６が形成してあるように構成された。係止棒１１６により、止め部３３の上側の穴１１４、１１５からの逸脱を防止することができる。
【００１６】
次に、図１１及び図１２を用いて本発明の第３の実施形態の紐繋ぎ装置を説明する。本第３の実施形態の紐繋ぎ装置は、前記第２の実施形態の紐繋ぎ装置において、一対の紐端部３２、３２の中の一つだけは、止め部としての結び目３３０を作ることで断面を大通孔IIの断面よりも大きくしており、大通孔IIを通過できないように構成された。これにより、クリップ１０を片側の紐端部３２上に往復摺動させることで紐の繋ぎ・弛みを簡単にすることができる。なお、紐２２の前記断面の大きい方の紐端部３２の結び目３３０から前記最後の一の紐孔２２０まで延伸した連結部２５は、前記最後の一の紐孔２２０の裏についている紐２２の摺動を阻害するための固定部材２４によって所定の長さに保持されている。
【００１７】
ところで、前記三つの実施形態における紐手段２０も二本の紐２２、２２からなり、いずれの紐２２も、一端３２（即ち前記紐端部）にループ３０及び止め部３３などが形成された後、他端２１１が、前記互いに並列している紐孔列の、履き口２１０に一番近い最後の一対の紐孔２２０から、紐孔２２０を交差挿通され、つま革に一番近い一対の紐孔２２０までに延伸されてから前記紐孔列付きシート２３の下側に塞がれるものとしたが、これに限らず、一本の紐だけで前記つま革に一番近い一対の紐孔２２０から履き口２１０前まで互いに交差しながら紐孔２２０を順番に挿通し、履き口２１０に一番近い最後の一対の紐孔２２０を挿通して前記２の紐端部３２を突出させてから、紐端部３２上にループ３０、３０及び止め部３３などを形成するようにしてもよい。
【００１８】
以上説明した実施の形態は、あくまでも本発明の技術的内容を明らかにする意図のものにおいてなされたものであり、本発明はそうした具体例に限定して狭義に解釈されるものではなく、本発明の精神とクレームに述べられた範囲で、いろいろと変形して実施できるものである。
【００１９】
【発明の効果】
本発明の紐繋ぎ装置によれば、紐端部が小通孔を通過することがないため、紐の弛みを抑制することができる。
【図面の簡単な説明】
【図１】従来の紐繋ぎ装置及びそれを用いる靴を示す斜視図である。
【図２】図１に示す紐繋ぎ装置の拡大説明図である。
【図３】本発明の第１の実施形態の紐繋ぎ装置及びそれを用いる靴を示す説明図である。
【図４】本発明の第１の実施形態の紐繋ぎ装置を用いた靴を示す斜視図である。
【図５】本発明の第１の実施形態の紐繋ぎ装置を示す拡大説明図である。
【図６】図５における６−６矢印方向の一部拡大断面図である。
【図７】図５における６−６矢印方向の一部拡大断面図である。
【図８】本発明の第１の実施形態の紐繋ぎ装置が弛む様子を示す拡大説明図である。
【図９】本発明の第２の実施形態の紐繋ぎ装置を示す説明図である。
【図１０】本発明の第２の実施形態の紐繋ぎ装置を示す拡大説明図である。
【図１１】本発明の第３の実施形態の紐繋ぎ装置を示す拡大説明図である。
【図１２】本発明の第３の実施形態の紐繋ぎ装置が弛む様子を示す拡大説明図である。
【符号の説明】
１０    管形クリップ
１１    外管形ピース
１２    内管形ピース
１３    ばね
２０    紐手段
２１１  紐の他端
２２    紐
２３    紐孔列付きシート
２４    固定部材
２５    連結部
３０    ループ
３１    第１の飾り
３２    紐端部
３３    止め部
３３０  止め部としての結び目
４０    第２の飾り
１１２  外周面
１１４、１１５  穴
１１６  係止棒
２００  紐付き靴
２１０  履き口
２２０  紐孔
I      小通孔
II    大通孔
【図１】
0003716243.tif 000002
【図２】
0003716243.tif 000003
【図３】
0003716243.tif 000004
【図４】
0003716243.tif 000005
【図５】
0003716243.tif 000006
【図６】
0003716243.tif 000007
【図７】
0003716243.tif 000008
【図８】
0003716243.tif 000009
【図９】
0003716243.tif 000010
【図１０】
0003716243.tif 000011
【図１１】
0003716243.tif 000012
【図１２】
0003716243.tif 000013